(57)【要約】【課題】簡単な構成にして、商品を引戸や扉に干渉させることなく、さらには貯蔵室内の冷暖気の流通を悪化させることなく、陳列棚を水平置きと傾斜置きとに容易に可変保持可能なショーケースを提供する。【解決手段】クローズドショーケースにおいて、陳列棚(30)を水平とショーケース本体(2)の前面側に向けて前下がりに傾斜した状態とに切り換えて支持可能な可変棚支持手段(35,36,40,50,52)を備え、可変棚支持手段は、陳列棚が水平であるときには該陳列棚の前端を前面に近づけて前方に位置させ、前下がりに傾斜した状態であるときには該陳列棚の前端をショーケース本体の前面側から離間するよう後方に位置させる変位手段と(42)、水平及び前下がりに傾斜した状態のそれぞれについて陳列棚の前後方向の動きを規制し陳列棚の姿勢を保持する前後規制手段(37等)とを含んでなる。【選択図】図８
2009160004.tif 000002
【特許請求の範囲】
【請求項１】
前面の開口を開閉部材で開閉可能であって内部に商品を貯蔵するショーケース本体と、該ショーケース本体の内部に架設されて前記商品を陳列する陳列棚とを備えたショーケースにおいて、
前記陳列棚を水平と前記前面側に向けて前下がりに傾斜した状態とに切り換えて支持可能な可変棚支持手段を備え、
前記可変棚支持手段は、前記陳列棚が前記水平であるときには該陳列棚の前端を前記前面に近づけて前方に位置させ、前記前下がりに傾斜した状態であるときには該陳列棚の前端を前記前面側から離間するよう後方に位置させる変位手段と、前記水平及び前記前下がりに傾斜した状態のそれぞれについて前記陳列棚の前後方向の動きを規制し前記陳列棚の姿勢を保持する前後規制手段とを含んでなることを特徴とするショーケース。
【請求項２】
前記変位手段は、前記陳列棚を前記前下がりに傾斜した状態に支持するとき、前記陳列棚に陳列された前記商品が前記開閉部材に接触しないように前記陳列棚の前端を後方に変位可能であることを特徴とする、請求項１記載のショーケース。
【請求項３】
前記ショーケース本体は、内部に背面に沿って隔壁を有し、前記開閉部材と該隔壁との間に商品を貯蔵する貯蔵室を形成するとともに、前記貯蔵室内を所定温度に維持する定温装置を備え、前記陳列棚は前記貯蔵室内に架設されてなり、
前記可変棚支持手段は、前記陳列棚の前端部分に設けた前端被支持手段を前記ショーケース本体の前記前面側部分に設けた前端支持手段に支持させるとともに、前記陳列棚の後端部分を前記隔壁に上下方向に並んで穿設された複数の後端支持孔に選択的に貫通させて支持させることで、前記陳列棚を水平と前記前面側に向けて前下がりに傾斜した状態とに切り換えるものであって、
前記変位手段は、前記前端被支持手段を前記前端支持手段に対し前後方向で変位可能とすることで、前記陳列棚が前記水平であるときには該陳列棚の前端を前記前面に近づけて前方に位置させ、前記前下がりに傾斜した状態であるときには該陳列棚の前端を前記前面側から離間するよう後方に位置させることを特徴とする、請求項１または２記載のショーケース。
【請求項４】
前記前端被支持手段は、前記陳列棚の前記ショーケース本体の一対の側面に沿う各側部の前端部分にそれぞれ設けられたこれら一対の側面に向け延びる突起であり、
前記前端支持手段は、前記ショーケース本体の底面または前記一対の側面に前記突起をそれぞれ支持すべく突設された一対の前端支持部材であり、
前記変位手段は、前記一対の前端支持部材に上方を開放して形成され、前記突起を前記陳列棚が前記水平であるとき前方で、前記前下がりに傾斜した状態であるとき後方で支持する受け部を含んでなることを特徴とする、請求項３記載のショーケース。
【請求項５】
前記受け部は、前方が高く後方が低い階段状に構成され、前記突起を前記陳列棚が前記水平であるとき前方の高い側に、前記前下がりに傾斜した状態であるとき後方の低い側に配置可能であり、
前記前後規制手段は、少なくとも、前記陳列棚が前記前下がりに傾斜した状態であるとき、前記突起を前方に位置する前記受け部の段差部に突き当てることにより前記陳列棚の前方向の動きを規制することを特徴とする、請求項４記載のショーケース。
【請求項６】
前記ショーケース本体の底面は前下がりに傾斜していることを特徴とする、請求項５記載のショーケース。
【請求項７】
前記受け部は、前後方向に並ぶ複数の独立した切り欠きで構成され、前記突起を前記陳列棚が前記水平であるとき前方の切り欠きに、前記前下がりに傾斜した状態であるとき後方の切り欠きに係止可能であり、
前記前後規制手段は、少なくとも、前記陳列棚が前記前下がりに傾斜した状態であるとき、前記突起を前記後方の切り欠きの前縁に突き当てることにより前記陳列棚の前方向の動きを規制することを特徴とする、請求項４記載のショーケース。
【請求項８】
前記受け部は、前記突起を前記陳列棚が前記水平であるとき前方に、前記前下がりに傾斜した状態であるとき後方に摺動自在に構成されていることを特徴とする、請求項４記載のショーケース。
【請求項９】
前記陳列棚の後端部分は前記陳列棚の前記各側部を後方に延長した一対の延長部からなり、これら一対の延長部は下方が開放された少なくとも一つの凹溝をそれぞれ有し、
前記前後規制手段は、少なくとも、前記陳列棚が前記前下がりに傾斜した状態であるとき、前記後端支持孔の下縁に前記凹溝を係合させることで前記陳列棚の前後方向の動きを規制することを特徴とする、請求項３乃至８のいずれか記載のショーケース。
【発明の詳細な説明】
【技術分野】
【０００１】
本発明は、駅販売店、コンビニエンスストア等に設置されるショーケースに関する。
【背景技術】
【０００２】
従来、この種のショーケースとして、例えば、前面の開口を開閉可能にして内部に缶飲料やボトル飲料等の商品を冷蔵或いは温蔵する貯蔵室を形成するショーケース本体と、当該ショーケース本体の下部或いは背部等に位置してショーケース本体内を冷暖気により冷却或いは加温する定温装置とを備えたクローズドショーケースが知られている。
このようなショーケースでは、例えばショーケース本体の前面に開閉部材として一または二以上の引戸或いは扉が設けられており、これによりショーケース本体の前面から商品を出し入れ可能である。
【０００３】
また、一般に貯蔵室内には商品を陳列する陳列棚が設けられており、例えば当該陳列棚を前下がりに傾斜させるようにしたショーケースも開発されている（特許文献１）。
このように陳列棚を前下がりに傾斜させると、購買者が手前から商品を取り出すことで陳列棚に陳列した商品が自重により前面側へ移動し、商品が順次自動的に前面側に陳列されることになり都合がよい。
【特許文献１】特開２００２−２７２５７２号公報
【発明の開示】
【発明が解決しようとする課題】
【０００４】
ところで、上記特許文献１に開示されたショーケースでは、陳列棚を傾斜して配置するようにしているが、陳列棚を水平置きと傾斜置きとで切り換えることが考えられる。
この場合、陳列棚を落下なく確実に支持する必要があることから、一般には、ショーケース本体の横壁に突設した受け部材を抜き差しすることで、陳列棚の前面側或いは後面側の高さ位置を二段階或いは多段階に可変させ、陳列棚に傾斜を付けるようにしている。
【０００５】
しかしながら、受け部材を抜き差しすることは煩わしさを伴い、さらには受け部材を紛失し易い等の問題がある。
また、ショーケース本体の前面には引戸や扉が設けられているため、前端を回動支点として或いは後端を上下させて陳列棚を単純に前下がりに傾斜させただけでは缶飲料やボトル飲料等の商品の主に頭部が引戸や扉と干渉するおそれがあり、好ましいことではない。
【０００６】
また、陳列棚を傾斜させたとき、陳列棚に作用する水平方向の荷重成分を如何に効果的に受け止めるかも課題となる。
また、一般にこのようなショーケースでは、特に冷蔵時にはショーケース本体内を冷気が陳列棚の上側から下側を通り抜けて循環するよう装置を構成するとともに、結露水の排水等が容易なようにショーケース本体の底面を前面側にやや傾斜させており、当該底面寄りの陳列棚を水平にする際には、当該陳列棚が底面に接近し過ぎると貯蔵室内の特に陳列棚の下側での冷気の流通が悪くなるという問題もある。
【０００７】
本発明はこのような事情に鑑みなされたものであり、その目的とするところは、簡単な構成にして、商品を引戸や扉に干渉させることなく、さらには貯蔵室内の冷暖気の流通を悪化させることなく、陳列棚を水平置きと傾斜置きとに容易に可変保持可能なショーケースを提供することにある。
【課題を解決するための手段】
【０００８】
上記の目的を達成するべく、請求項１のショーケースは、前面の開口を開閉部材で開閉可能であって内部に商品を貯蔵するショーケース本体と、該ショーケース本体の内部に架設されて前記商品を陳列する陳列棚とを備えたショーケースにおいて、前記陳列棚を水平と前記前面側に向けて前下がりに傾斜した状態とに切り換えて支持可能な可変棚支持手段を備え、前記可変棚支持手段は、前記陳列棚が前記水平であるときには該陳列棚の前端を前記前面に近づけて前方に位置させ、前記前下がりに傾斜した状態であるときには該陳列棚の前端を前記前面側から離間するよう後方に位置させる変位手段と、前記水平及び前記前下がりに傾斜した状態のそれぞれについて前記陳列棚の前後方向の動きを規制し前記陳列棚の姿勢を保持する前後規制手段とを含んでなることを特徴とする。
【０００９】
また、請求項２のショーケースでは、請求項１において、前記変位手段は、前記陳列棚を前記前下がりに傾斜した状態に支持するとき、前記陳列棚に陳列された前記商品が前記開閉部材に接触しないように前記陳列棚の前端を後方に変位可能であることを特徴とする。
また、請求項３のショーケースでは、請求項１または２において、前記ショーケース本体は、内部に背面に沿って隔壁を有し、前記開閉部材と該隔壁との間に商品を貯蔵する貯蔵室を形成するとともに、前記貯蔵室内を所定温度に維持する定温装置を備え、前記陳列棚は前記貯蔵室内に架設されてなり、前記可変棚支持手段は、前記陳列棚の前端部分に設けた前端被支持手段を前記ショーケース本体の前記前面側部分に設けた前端支持手段に支持させるとともに、前記陳列棚の後端部分を前記隔壁に上下方向に並んで穿設された複数の後端支持孔に選択的に貫通させて支持させることで、前記陳列棚を水平と前記前面側に向けて前下がりに傾斜した状態とに切り換えるものであって、前記変位手段は、前記前端被支持手段を前記前端支持手段に対し前後方向で変位可能とすることで、前記陳列棚が前記水平であるときには該陳列棚の前端を前記前面に近づけて前方に位置させ、前記前下がりに傾斜した状態であるときには該陳列棚の前端を前記前面側から離間するよう後方に位置させることを特徴とする。
【００１０】
また、請求項４のショーケースでは、請求項３において、前記前端被支持手段は、前記陳列棚の前記ショーケース本体の一対の側面に沿う各側部の前端部分にそれぞれ設けられたこれら一対の側面に向け延びる突起であり、前記前端支持手段は、前記ショーケース本体の底面または前記一対の側面に前記突起をそれぞれ支持すべく突設された一対の前端支持部材であり、前記変位手段は、前記一対の前端支持部材に上方を開放して形成され、前記突起を前記陳列棚が前記水平であるとき前方で、前記前下がりに傾斜した状態であるとき後方で支持する受け部を含んでなることを特徴とする。
【００１１】
また、請求項５のショーケースでは、請求項４において、前記受け部は、前方が高く後方が低い階段状に構成され、前記突起を前記陳列棚が前記水平であるとき前方の高い側に、前記前下がりに傾斜した状態であるとき後方の低い側に配置可能であり、前記前後規制手段は、少なくとも、前記陳列棚が前記前下がりに傾斜した状態であるとき、前記突起を前方に位置する前記受け部の段差部に突き当てることにより前記陳列棚の前方向の動きを規制することを特徴とする。
【００１２】
また、請求項６のショーケースでは、請求項５において、前記ショーケース本体の底面は前下がりに傾斜していることを特徴とする。
また、請求項７のショーケースでは、請求項４において、前記受け部は、前後方向に並ぶ複数の独立した切り欠きで構成され、前記突起を前記陳列棚が前記水平であるとき前方の切り欠きに、前記前下がりに傾斜した状態であるとき後方の切り欠きに係止可能であり、前記前後規制手段は、少なくとも、前記陳列棚が前記前下がりに傾斜した状態であるとき、前記突起を前記後方の切り欠きの前縁に突き当てることにより前記陳列棚の前方向の動きを規制することを特徴とする。
【００１３】
また、請求項８のショーケースでは、請求項４において、前記受け部は、前記突起を前記陳列棚が前記水平であるとき前方に、前記前下がりに傾斜した状態であるとき後方に摺動自在に構成されていることを特徴とする。
また、請求項９のショーケースでは、請求項３乃至８のいずれかにおいて、前記陳列棚の後端部分は前記陳列棚の前記各側部を後方に延長した一対の延長部からなり、これら一対の延長部は下方が開放された少なくとも一つの凹溝をそれぞれ有し、前記前後規制手段は、少なくとも、前記陳列棚が前記前下がりに傾斜した状態であるとき、前記後端支持孔の下縁に前記凹溝を係合させることで前記陳列棚の前後方向の動きを規制することを特徴とする。
【発明の効果】
【００１４】
従って、請求項１のショーケースによれば、クローズドショーケースにおいて、可変棚支持手段により陳列棚を水平と前面側に向けて前下がりに傾斜した状態とに切り換えて支持可能であり、可変棚支持手段は変位手段と前後規制手段とを含み、変位手段により、陳列棚が水平であるときには該陳列棚の前端をショーケース本体の前面に近づけて前方に位置させ、前下がりに傾斜した状態であるときには該陳列棚の前端をショーケース本体の前面側から離間するよう後方に位置させ、前後規制手段により、水平及び前下がりに傾斜した状態のそれぞれについて陳列棚の前後方向の動きを規制するようにしたので、陳列棚を水平に支持する場合には陳列棚に陳列された商品を開閉部材（引き戸、扉等）側に極力寄せるようにする一方、陳列棚を前下がりに傾斜した状態に支持する場合には、陳列棚に陳列された商品が開閉部材（引き戸、扉等）に接近し過ぎないようにして陳列棚の姿勢を保持でき、陳列棚を前下がりに傾斜させた場合であっても、商品を貯蔵室内に良好に収納することができる。
【００１５】
請求項２のショーケースによれば、陳列棚を前下がりに傾斜させた場合であっても、缶飲料やボトル飲料等の商品を開閉部材（引き戸、扉等）に一切干渉させることなく貯蔵室内に良好に収納することができる。
請求項３のショーケースによれば、クローズドショーケースにおいて、陳列棚の前端部分に設けた前端被支持手段をショーケース本体の前面側部分に設けた前端支持手段に支持させるとともに、陳列棚の後端部分をショーケース本体の背面に沿う隔壁に上下方向に並んで穿設された複数の後端支持孔に選択的に貫通させて支持させることにより、陳列棚を水平と前面側に向けて前下がりに傾斜した状態とに切り換え、さらに、前端被支持手段を前端支持手段に対し前後方向で変位可能とすることで、陳列棚が水平であるときには該陳列棚の前端をショーケース本体の前面に近づけて前方に位置させ、前下がりに傾斜した状態であるときには陳列棚の前端をショーケース本体の前面側から離間するよう後方に位置させるようにしたので、陳列棚を水平と前下がりに傾斜させた状態とで切り換えたい場合において、前端被支持手段を前端支持手段に対し前後方向で変位させながら陳列棚の後端部分を隔壁の複数の後端支持孔に選択的に抜き差しするだけの簡単な操作で、陳列棚が水平であるときには前方に位置させ、前下がりに傾斜した状態であるときには後方に位置させながら、陳列棚を水平にしたり前下がりに傾斜させたりできる。
【００１６】
これにより、従来のような別途設けた受け部材を抜き差しする煩わしさや当該受け部材を紛失してしまうという不都合もなく、陳列棚を容易に前後方向で変位させながら水平にしたり前下がりに傾斜させたりしてショーケースの商品収納性能を高めることができる。
請求項４のショーケースによれば、陳列棚の各側部の前端部分にはショーケース本体の一対の側面に向け延びる突起がそれぞれ設けられるとともに、ショーケース本体には、上方が開放されて上記突起を陳列棚が水平であるとき前方で、前下がりに傾斜した状態であるとき後方で支持する受け部を有する一対の前端支持部材が設けられているので、陳列棚を水平と前下がりに傾斜させた状態とで切り換えたい場合において、突起を前端支持部材の受け部に上方から載せて前後方向に変位させながら陳列棚の後端部分を複数の後端支持孔に選択的に抜き差しするだけの簡単な操作で、陳列棚が水平であるときには前方に位置させ、前下がりに傾斜した状態であるときには後方に位置させながら、陳列棚を水平にしたり前下がりに傾斜させたりできる。
【００１７】
請求項５のショーケースによれば、受け部は前方が高く後方が低い階段状に構成され、陳列棚が前記水平であるときには突起を前方の高い側に、前下がりに傾斜した状態であるときには突起を後方の低い側に配置可能であり、陳列棚が前下がりに傾斜した状態であるときには、前方に位置する受け部の段差部に突起を突き当てることにより陳列棚の前方向の動きを規制するので、前端支持部材を簡単に構成しつつ、陳列棚を容易に前後方向で変位させながら水平にしたり前下がりに傾斜させたりすることができ、特に陳列棚が前下がりに傾斜した状態であるときにおいて、陳列棚の姿勢を確実に保持し、段差部により陳列棚に作用する商品の水平方向の荷重成分を十分な強度を有して確実に受け止めることができる。
【００１８】
請求項６のショーケースによれば、ショーケース本体の底面が前下がりに傾斜している場合には、貯蔵室内において生じる結露水の排水等の処理をショーケース本体の前面側で行うことができるという利点がある一方、底面寄りの陳列棚を水平にする際に当該陳列棚が底面に接近し過ぎると、陳列棚と底面間の隙間が後方で極めて狭くなり、貯蔵室内の冷暖気の流通が悪くなるという欠点があるが、このような場合であっても、陳列棚が水平であるときには突起を前方の高い側に、前下がりに傾斜した状態であるときには突起を後方の低い側に配置可能であることで、特に陳列棚が水平であるときのショーケース本体の前面側の開口を陳列棚が前下がりに傾斜した状態のときよりも広くでき、陳列棚と底面間の冷暖気の流通、ひいては貯蔵室内の冷暖気の流通の悪化を防止することができる。
【００１９】
特に、定温装置がショーケース本体の背面と隔壁との間に設けられ、冷暖気を当該背面と隔壁との間を介して貯蔵室内で循環させるようなショーケースにおいて、貯蔵室内での冷暖気の循環の悪化を防止することができる。
請求項７のショーケースによれば、陳列棚が水平であるときには突起を前方の切り欠きに、前下がりに傾斜した状態であるときには突起を後方の切り欠きに係止可能であり、陳列棚が前下がりに傾斜した状態であるときには、後方の切り欠きの前縁に突起を突き当てることにより陳列棚の前方向の動きを規制するので、前端支持部材を簡単に構成しつつ、陳列棚を容易に前後方向で変位させながら水平にしたり前下がりに傾斜させたりすることができ、特に陳列棚が前下がりに傾斜した状態であるときにおいて、陳列棚の姿勢を確実に保持し、後方の切り欠きの前縁により陳列棚に作用する商品の水平方向の荷重成分を確実に受け止めることができる。
【００２０】
請求項８のショーケースによれば、陳列棚が水平であるときには突起を前方に、前下がりに傾斜した状態であるときには突起を後方に摺動自在となるよう受け部を構成するので、前端支持部材を極めて簡単に構成しつつ、陳列棚を容易に前後方向で変位させながら水平にしたり前下がりに傾斜させたりすることができる。
請求項９のショーケースによれば、陳列棚の各側部を後方に延長した一対の延長部は下方が開放された少なくとも一つの凹溝をそれぞれ有し、陳列棚が前下がりに傾斜した状態であるときには、隔壁の後端支持孔の下縁に上記凹溝を係合させることで陳列棚の前後方向の動きを規制するので、陳列棚が前下がりに傾斜した状態であるときにおいて、簡単な構成にして、陳列棚の姿勢を確実に保持し、陳列棚に作用する商品の水平方向の荷重成分を確実に受け止めることができる。
【００２１】
特に、前端支持部材の受け部が、前方が高く後方が低い階段状に構成される場合や前後方向に並ぶ複数の独立した切り欠きで構成される場合には、陳列棚が前下がりに傾斜した状態であるときにおいて、後方の切り欠きの前縁に突起を突き当てたり前方に位置する受け部の段差部に突起を突き当てたりするのみならず併せて後端支持孔の下縁に延長部の凹溝を係合させることで陳列棚の前方向の動きを確実に規制することができ、陳列棚の姿勢をより一層確実に保持し、陳列棚に作用する商品の水平方向の荷重成分を陳列棚の前側と後側の両方に分散して確実に受け止めることができる。
【発明を実施するための最良の形態】
【００２２】
以下、本発明の実施形態を図面を参照しながら説明する。
先ず、実施例１について説明する。
図１には、本発明の実施例１に係るショーケースの外観図が示され、図２には、図１のＡ−Ａ線に沿う断面図が示され、図３には、当該実施例１に係るショーケースの内部の概略構成図が示されており、以下これら図１〜３に基づき本発明の実施例１に係るショーケースの構成を説明する。
【００２３】
図１に示すように、実施例１に係るショーケースは、ショーケース外殻１内に六面体からなるショーケース本体２を収容し、ショーケース本体２内に定温装置２０及び商品の陳列棚３０を収容したクローズドショーケースとして構成されている。
なお、ショーケースには、商品を冷却する冷蔵ショーケース、商品を加温させる温蔵ショーケースの他、商品を冷却または温蔵可能な冷温蔵ショーケースが含まれ、ここでは、例えば冷温蔵ショーケースを例に説明する。
【００２４】
ショーケース本体２の背面５、一対の側面６、６、上面７及び底面８は断熱壁で構成される一方、ショーケース本体２の前面４の開口４ａには、一対の引き戸（開閉部材）１０、１０が設けられており、当該引き戸１０、１０で開口４ａを開閉することでショーケース本体２の内部に缶飲料やボトル飲料等の商品を出し入れ可能である。なお、引き戸１０、１０にはショーケース内の商品が見えるように透明ガラスが設けられている。
【００２５】
また、ショーケース本体２の内部には、背面５に沿って隔壁１２が設けられており、当該隔壁１２と上記引き戸１０、１０との間には、上記商品を冷蔵或いは温蔵する貯蔵室１４が形成されており、背面５と隔壁１２との間に、上記定温装置２０のうち冷気を循環させることにより貯蔵室１４を冷却する冷却装置が備えられている。
詳しくは、冷却装置は、例えば、通電により冷熱を発生させるペルチェ素子と、当該冷熱と空気との熱交換を行う熱交換器（図示せず）とから構成されている。これに伴い、ショーケース外殻１には、図１に示すように冷却装置により熱交換された熱を外部に放熱するための放熱ファン１ａや放熱スリット１ｂが設けられている。
【００２６】
隔壁１２の上部には定温装置２０の一部としてファン２２が設けられており、一方、隔壁１２の下部には、図３に示すように複数のスリット１６や開口部１７が穿設されており、定温装置２０は、冷気をファン２２から貯蔵室１４内に吹き出すとともにスリット１６及び開口部１７から回収するように循環させて貯蔵室１４内の温度を所定温度に維持するようにしている。
【００２７】
開口部１７については、図３に示すように、隔壁１２のうち中央下端部１７ａを屈曲させ前方に張り出すようにして形成している。
なお、ペルチェ素子を用いて温熱を発生可能にも構成でき、この場合には、定温装置２０は加温装置としても機能し、貯蔵室１４内に暖気を循環させることも可能である。
また、商品が陳列棚３０に隙間無く置かれたような場合には、上記冷暖気をスリット１６及び開口部１７から十分に回収することができないことになるが、この場合には、冷暖気は陳列棚３０とショーケース本体２の底面８との間の空間を介して回収されることとなる。
【００２８】
図２に示すように、ショーケース本体２の底面８は僅か（例えば、俯角３°）に前下がりに傾斜しており、これにより結露水の排水等を前面４側で容易に行うことができる。
なお、図２中の符号１８は照明装置である。
陳列棚３０は、缶飲料やボトル飲料等の商品を陳列するための棚であり、大きくは棚本体３２と、当該棚本体３２のうちショーケース本体２の一対の側面６、６に沿う各側部に設けられた一対の側部材３４、３４とから構成されている。
【００２９】
陳列棚３０の背面には、上記定温装置２０のうち貯蔵室１４を加温するヒータ等の加温装置（図示せず）が備えられている。
棚本体３２の上面の前端部分には、ストッパ３３が設けられており、これにより商品の前方向への移動が規制される。
一対の側部材３４、３４のショーケース本体２の前面４側の前端部分には、一対の側面６、６に向けて頭部が拡径された円柱状の突起（前端被支持手段）３６がそれぞれ立設されている。
【００３０】
また、一対の側部材３４、３４のショーケース本体２の背面５側には、棚本体３２よりも後方且つ隔壁１２を超えるように延びて延長部３５、３５が形成されている。
一方、上記ショーケース本体２の底面８には、突起３６に対応するようにして左右一対の支持部材（前端支持部材、前端支持手段）４０、４０が立設されており、当該一対の支持部材４０、４０によりそれぞれ突起３６を受けることで、陳列棚３０の前端を底面８上で支持可能である（可変棚支持手段）。詳しくは、一対の支持部材４０、４０には上方が開放するようして受け部４２、４２が形成されており、当該受け部４２、４２でそれぞれ突起３６を受けることで、陳列棚３０の前端を底面８上で支持可能である。なお、一対の支持部材４０、４０についてはショーケース本体２の一対の側面６、６に設けるようにしてもよい。
【００３１】
また、隔壁１２には、側部材３４、３４の延長部３５、３５を貫通させ支持可能にして上下方向に並んで二対の支持孔（後端支持孔）５０、５０及び５２、５２が穿設されており、延長部３５、３５を選択的に支持孔５０、５０或いは支持孔５２、５２に挿通させることにより、陳列棚３０の後端を底面８からの高さを変えて隔壁１２に支持可能である（可変棚支持手段）。
【００３２】
ここで、図４、５を参照すると、支持部材４０及び側部材３４をそれぞれ図３の矢視Ｂ方向から見た側面図が個別に示され、図６、７を参照すると、突起３６を支持部材４０に支持させるとともに、側部材３４の延長部３５を下段の支持孔５０に挿通させた状態の陳列棚３０と上段の支持孔５２に挿通させた状態の陳列棚３０とがそれぞれ図３の矢視Ｂ方向から見た側面図として示されており、図８、９を参照すると、側部材３４の延長部３５を上段の支持孔５２に挿通させた状態の断面図及びショーケースの内部の概略構成図が上記図２及び図３に対応してそれぞれ示されており、以下、これら図４〜９を参照しながら本発明の詳細を説明する。
【００３３】
図４に示すように、支持部材４０の受け部４２は、前面４側の前方受け部４２ａが高く後方受け部４２ｂが低い階段状に構成されており、図５に示すように、側部材３４の延長部３５には、下方が開放された凹溝３７が形成されている。
詳しくは、延長部３５の凹溝３７については、延長部３５を下段の支持孔５０に挿通させるとともに突起３６を前方受け部４２ａ上に位置させたとき、当該凹溝３７後方の凹溝３７以外の部分が支持孔５０に位置する一方、延長部３５を上段の支持孔５２に挿通させるとともに突起３６を後方受け部４２ｂ上に位置させたとき、当該凹溝３７が支持孔５２に位置するように形成されている。
【００３４】
即ち、延長部３５を下段の支持孔５０に挿通させて突起３６を前方受け部４２ａ上に位置させると、突起３６が前方受け部４２ａ上で支持されるとともに延長部３５の凹溝３７後方の凹溝３７以外の部分の下端が支持孔５０の下縁で支持され、これにより、図２、３、６に示すように陳列棚３０が水平とされる。一方、延長部３５を上段の支持孔５２に挿通させて突起３６を後方受け部４２ｂ上に位置させると、突起３６が後方受け部４２ｂ上で支持されるとともに延長部３５の凹溝３７が支持孔５２の下縁と係合し、これにより、図７、８、９に示すように陳列棚３０が前下がりに傾斜した状態とされる。
【００３５】
そして、陳列棚３０が水平とされる場合には、突起３６が前方受け部４２ａの前縁４４に当接することで陳列棚３０の前方への移動が規制されるとともに、棚本体３２の後端が上記中央下端部１７ａに当接することで陳列棚３０の後方への移動が規制される。一方、陳列棚３０が前下がりに傾斜した状態とされる場合には、突起３６が後方受け部４２ｂの前縁の段差部４３に当接するのみならず延長部３５の凹溝３７が支持孔５２の下縁と係合することで陳列棚３０の前方への移動が規制されるとともに、突起３６が後方受け部４２ｂの後縁４５に当接するのみならず延長部３５の凹溝３７が支持孔５２の下縁と係合することで陳列棚３０の後方への移動が規制される（前後規制手段）。
【００３６】
つまり、延長部３５、３５を下段の支持孔５０、５０を選択して挿通させることで陳列棚３０を水平に良好に保持することができ、上段の支持孔５２、５２を選択して挿通させることで、陳列棚３０を前下がりに傾斜した状態に良好に保持することができる。
このように、本発明に係るショーケースでは、突起３６を支持部材４０の受け部４２に上方から載せて前後方向に変位させ、陳列棚３０の後端部分である延長部３５、３５を支持孔５０、５２に選択的に抜き差しするだけの簡単な操作で、陳列棚３０を水平にしたり前下がりに傾斜させたりすることができる。
【００３７】
これにより、従来のような別途設けた受け部材を抜き差しする煩わしさや当該受け部材を紛失してしまうという不都合もなく、簡単な構成で、陳列棚３０を容易に水平にしたり前下がりに傾斜させたりでき、ショーケースの商品収納性能を高めることができる。
ところで、ここでは、陳列棚３０を水平にする場合には突起３６を受け部４２の前側の前方受け部４２ａで支持し、前下がりに傾斜した状態にする場合には受け部４２の後方受け部４２ｂで支持するようにし、陳列棚３０を前下がりに傾斜した状態にするときには陳列棚３０を後方に変位させるようにしている（変位手段）。
【００３８】
これは、陳列棚３０には缶飲料やボトル飲料等の商品が陳列されるのであるが、陳列棚３０を水平にしたときには商品を一対の引き戸１０、１０側に極力寄せる一方、陳列棚３０を前下がりに傾斜した状態にしたときに一対の引き戸１０、１０側に接近する最前列の缶飲料やボトル飲料等の商品の頭部が一対の引き戸１０、１０に接触しないようにするためである。
【００３９】
具体的には、ここでは、商品の頭部が一対の引き戸１０、１０に接触しないように前方受け部４２ａの前縁４４の位置と後方受け部４２ｂの前縁の段差部４３の位置とを設定するようにしている。
これにより、陳列棚３０を水平にしたときには商品を一対の引き戸１０、１０側に極力寄せるようにできる一方、図８に商品Ｘを二点鎖線で示すように、陳列棚３０を前下がりに傾斜した状態にしたときには缶飲料やボトル飲料等の商品Ｘの頭部を一対の引き戸１０、１０に一切接触させないようにして商品を貯蔵室１４内に良好に収納することができる。
【００４０】
また、ここでは、上記の如く陳列棚３０が前下がりに傾斜した状態のときには突起３６が段差部４３に当接するようにしており、当該段差部４３は構造上比較的強度が高いことから、支持部材４０を簡単に構成しつつも、特に陳列棚３０が前下がりに傾斜した状態である場合において、陳列棚３０の姿勢を確実に保持でき、陳列棚３０に作用する商品の水平方向の荷重成分を十分な強度を有して確実に受け止めることができる。
【００４１】
さらに、ここでは、上記の如く陳列棚３０が前下がりに傾斜した状態のときには延長部３５の凹溝３７が支持孔５２の下縁と係合するようにもしており、特に陳列棚３０が前下がりに傾斜した状態である場合において、陳列棚３０の姿勢をより一層確実に保持でき、陳列棚３０に作用する商品の水平方向の荷重成分を分散してより一層確実に受け止めることができる。
【００４２】
また、ここでは、ショーケース本体２の底面８は僅かに前下がりに傾斜しているので、陳列棚３０が底面８に接近し過ぎていると陳列棚３０を水平にした際に陳列棚３０と底面８間の空間が後方で小さくなり、特に上記の如く商品が陳列棚３０に隙間無く置かれたような場合に、陳列棚３０の下側における冷暖気の流通が悪くなる傾向にあるが、陳列棚３０が水平であるときには突起３６を高い側の前方受け部４２ａで支持するようにしているので、陳列棚３０が水平であるときのショーケース本体２の前面４側の開口を陳列棚３０が前下がりに傾斜した状態のときよりも広くすることができ、陳列棚３０の下側における冷暖気の流通、ひいては貯蔵室１４内の冷暖気の流通の悪化を防止することができる。
【００４３】
次に、実施例２について説明する。
実施例２では、上記実施例１とは突起３６を支持する支持部材の形状が異なっており、以下実施例１との共通部分については同一符号を付して説明を省略し、実施例１と異なる部分についてのみ説明する。
図１０を参照すると、本発明の実施例２に係るショーケースの支持部材（前端支持部材、前端支持手段）４０’の側面図が上記図４と同様に示され、図１１、１２を参照すると、突起３６を支持部材４０’に支持させるとともに、側部材３４の延長部３５を下段の支持孔５０に挿通させた状態の陳列棚３０と上段の支持孔５２に挿通させた状態の陳列棚３０とがそれぞれ側面図として上記図６、７と同様に示されており、以下、これら図１０〜１２を参照しながら説明する。
【００４４】
図１０に示すように、支持部材４０’の受け部４２’は、前後方向に並ぶ二つの独立した前方切り欠き４２ａ’と後方切り欠き４２ｂ’とで構成されている。
これにより、延長部３５を下段の支持孔５０に挿通させて突起３６を前方切り欠き４２ａ’に係合させると、突起３６が前方切り欠き４２ａ’内で支持されるとともに延長部３５の凹溝３７後方の凹溝３７以外の部分の下端が支持孔５０の下縁で支持され、図１１に示すように陳列棚３０が水平とされる。一方、延長部３５を上段の支持孔５２に挿通させて突起３６を後方切り欠き４２ｂ’ に係合させると、突起３６が後方切り欠き４２ｂ’内で支持されるとともに延長部３５の凹溝３７が支持孔５２の下縁と係合し、図１２に示すように陳列棚３０が前下がりに傾斜した状態とされる。
【００４５】
そして、陳列棚３０が水平とされる場合には、突起３６が前方切り欠き４２ａ’の前縁４４’に当接することで陳列棚３０の前方への移動が規制されるとともに、棚本体３２の後端が中央下端部１７ａに当接することで陳列棚３０の後方への移動が規制される。一方、陳列棚３０が前下がりに傾斜した状態とされる場合には、突起３６が後方切り欠き４２ｂ’の前縁４３’に当接するのみならず延長部３５の凹溝３７が支持孔５２の下縁と係合することで陳列棚３０の前方への移動が規制されるとともに、突起３６が後方切り欠き４２ｂ’の後縁４５’に当接するのみならず延長部３５の凹溝３７が支持孔５２の下縁と係合することで陳列棚３０の後方への移動が規制される（前後規制手段）。
【００４６】
これにより、上記実施例１の場合と同様、延長部３５、３５を下段の支持孔５０、５０を選択して挿通させることで陳列棚３０を水平に良好に保持することができ、上段の支持孔５２、５２を選択して挿通させることで、陳列棚３０を前下がりに傾斜した状態に良好に保持することができ、簡単な構成で、陳列棚３０を容易に水平にしたり前下がりに傾斜させたりでき、ショーケースの商品収納性能を高めることができる。
【００４７】
また、前方切り欠き４２ａ’の前縁４４’と後方切り欠き４２ｂ’の前縁４３’との前後方向の位置関係については、上記実施例１の場合と同様、商品の頭部が一対の引き戸１０、１０に接触しないように設定されている（変位手段）。これにより、やはり、陳列棚３０を水平にしたときには商品を一対の引き戸１０、１０側に極力寄せるようにできる一方、陳列棚３０を前下がりに傾斜した状態にしたときには缶飲料やボトル飲料等の商品の頭部を一対の引き戸１０、１０に一切接触させないようにして商品を貯蔵室１４内に良好に収納することができる。
【００４８】
また、ここでは、上記の如く陳列棚３０が前下がりに傾斜した状態のときには突起３６が後方切り欠き４２ｂ’の前縁４３’に当接するようにしており、上記実施例１の場合の段差部４３ほど強度は高くないものの、支持部材４０を簡単に構成しつつ、特に陳列棚３０が前下がりに傾斜した状態である場合において、陳列棚３０の姿勢を確実に保持でき、陳列棚３０に作用する商品の水平方向の荷重成分を確実に受け止めることができる。
【００４９】
さらに、上記実施例１の場合と同様、陳列棚３０が前下がりに傾斜した状態のときには延長部３５の凹溝３７が支持孔５２の下縁と係合するようにもしており、特に陳列棚３０が前下がりに傾斜した状態である場合において、陳列棚３０の姿勢をより一層確実に保持でき、陳列棚３０に作用する商品の水平方向の荷重成分を分散してより一層確実に受け止めることができる。
【００５０】
次に、実施例３について説明する。
実施例３でも、上記実施例１とは突起３６を支持する支持部材の形状が異なっており、以下実施例１との共通部分については実施例２と同様に同一符号を付して説明を省略し、実施例１と異なる部分についてのみ説明する。
図１３を参照すると、本発明の実施例２に係るショーケースの支持部材（前端支持部材、前端支持手段）４０”の側面図が上記図４と同様に示され、図１４、１５を参照すると、突起３６を支持部材４０”に支持させるとともに、側部材３４の延長部３５を下段の支持孔５０に挿通させた状態の陳列棚３０と上段の支持孔５２に挿通させた状態の陳列棚３０とがそれぞれ側面図として上記図６、７と同様に示されており、以下、これら図１３〜１５を参照しながら説明する。
【００５１】
図１３に示すように、支持部材４０”の受け部４２”は、一つの切り欠きとして構成されており、突起３６が受け部４２”上を前後方向で摺動自在である。
これにより、延長部３５を下段の支持孔５０に挿通させて突起３６を受け部４２”の前部に位置させると、突起３６が受け部４２”の前部で支持されるとともに延長部３５の凹溝３７後方の凹溝３７以外の部分の下端が支持孔５０の下縁で支持され、図１４に示すように陳列棚３０が水平とされる。一方、延長部３５を上段の支持孔５２に挿通させて突起３６を受け部４２”の後部に位置させると、突起３６が受け部４２”の後部で支持されるとともに延長部３５の凹溝３７が支持孔５２の下縁と係合し、図１５に示すように陳列棚３０が前下がりに傾斜した状態とされる。
【００５２】
そして、陳列棚３０が水平とされる場合には、突起３６が受け部４２”の前縁４４”に当接することで陳列棚３０の前方への移動が規制されるとともに、棚本体３２の後端が中央下端部１７ａに当接することで陳列棚３０の後方への移動が規制される。一方、陳列棚３０が前下がりに傾斜した状態とされる場合には、延長部３５の凹溝３７が支持孔５２の下縁と係合することで陳列棚３０の前方への移動が規制されるとともに、突起３６が受け部４２”の後縁４５”に当接するのみならず延長部３５の凹溝３７が支持孔５２の下縁と係合することで陳列棚３０の後方への移動が規制される（前後規制手段）。
【００５３】
これにより、上記実施例１、２の場合と同様、延長部３５、３５を下段の支持孔５０、５０を選択して挿通させることで陳列棚３０を水平に良好に保持することができ、上段の支持孔５２、５２を選択して挿通させることで、陳列棚３０を前下がりに傾斜した状態に良好に保持することができ、簡単な構成で、特に支持部材４０を極めて簡単に構成しつつ、陳列棚３０を容易に水平にしたり前下がりに傾斜させたりでき、ショーケースの商品収納性能を高めることができる。
【００５４】
また、突起３６の受け部４２”上における前後方向での摺動距離については、上記実施例１の場合と同様、商品の頭部が一対の引き戸１０、１０に接触しないように設定されている（変位手段）。これにより、やはり、陳列棚３０を水平にしたときには商品を一対の引き戸１０、１０側に極力寄せるようにできる一方、陳列棚３０を前下がりに傾斜した状態にしたときには缶飲料やボトル飲料等の商品の頭部を一対の引き戸１０、１０に一切接触させないようにして商品を貯蔵室１４内に良好に収納することができる。
【００５５】
以上で本発明の一実施形態についての説明を終えるが、本発明は上記実施形態に限定されるものではなく、本発明の趣旨を逸脱しない範囲で種々の変更ができるものである。
例えば、上記実施形態では、側部材３４の延長部３５に凹溝３７を設けるようにしているが、上述したように、実施例１、２では、陳列棚３０が前下がりに傾斜した状態とされる場合には、突起３６を段差部４３或いは後方切り欠き４２ｂ’の前縁４３’に当接させるようにして陳列棚３０の前方への移動を規制し、突起３６を後方受け部４２ｂの後縁４５或いは後方切り欠き４２ｂ’の後縁４５’に当接させるようにして陳列棚３０の後方への移動を規制していることから、必ずしも凹溝３７を設けなくても本発明の効果を十分に得ることは可能である。即ち、図１６に側面図を示すように、変形例として、側部材３４に代えて凹溝３７の無い側部材３４’を採用した陳列棚３０’を適用するようにしてもよい。
【００５６】
また、上記実施形態では、陳列棚３０が水平とされる場合には、突起３６を前方受け部４２ａの前縁４４や前方切り欠き４２ａ’の前縁４４’或いは前縁４４”に当接させるようにして陳列棚３０の前方への移動を規制し、棚本体３２の後端を中央下端部１７ａに当接させるようにして陳列棚３０の後方への移動を規制しているが、陳列棚３０が水平とされる場合において陳列棚３０の前後方向を規制すべく、凹溝３７の後方にさらに凹溝３８を設けるようにしてもよい。即ち、図１７に側面図を示すように、変形例として、側部材３４に代えて凹溝３７と凹溝３８との二つの凹溝を有する側部材３４”を採用した陳列棚３０”を適用するようにしてもよい。このようにした場合には、必ずしも棚本体３２の後端を中央下端部１７ａに当接させて陳列棚３０の後方への移動を規制しなくてもよい。
【００５７】
また、上記実施形態では、陳列棚３０、３０’、３０”側の側部材３４、３４’、３４”に突起３６を設ける一方、ショーケース本体２側に突起３６に対応するようにして受け部４２、４２’、４２”を設けるようにしたが、これらの構成は逆であってもよく、陳列棚３０、３０’、３０”側の側部材３４、３４’、３４”に受け部（前端被支持手段）を形成し、ショーケース本体２側に突起等（前端支持手段）を設けるようにしてもよい。
【００５８】
また、上記実施形態では、開口４ａを一対の引き戸１０、１０で開閉するようにしたが、引き戸１０、１０に代えて扉等（開閉部材）であってもよい。
また、上記実施形態では、隔壁１２に二対の支持孔５０、５０及び５２、５２を上下方向に並んで穿設し、陳列棚３０を水平と前下がりに傾斜した一つの状態とに切り換えるように構成したが、上下方向にさらに支持孔を増やし、陳列棚３０の傾斜角を二段階以上に切り換え可能にしてもよい。この場合、上記実施例１では支持部材４０の受け部４２を三段以上の階段状にしてもよく、上記実施例２では支持部材４０’の受け部４２’を三つ以上の独立した切り欠きで構成するようにしてもよい。
【００５９】
また、上記実施形態では、陳列棚３０が一段だけである場合を例に説明したが、本発明は陳列棚３０を上下方向に多段に設ける場合にも好適に適用可能である。この場合、最下段以外の陳列棚３０については、突起３６を支持する支持部材をショーケース本体２の一対の側面６、６に設けるようにすればよい。
【図面の簡単な説明】
【００６０】
【図１】本発明に係るショーケースの外観図を示す図である。
【図２】図１のＡ−Ａ線に沿う本発明の実施例１に係るショーケースの断面図である。
【図３】本発明の実施例１に係るショーケースの内部の概略構成図である。
【図４】図３の矢視Ｂ方向から見た支持部材の側面図である。
【図５】図３の矢視Ｂ方向から見た側部材の側面図である。
【図６】突起を支持部材に支持させるとともに側部材の延長部を下段の支持孔に挿通させた水平状態の本発明の実施例１に係る陳列棚を示す側面図である。
【図７】突起を支持部材に支持させるとともに側部材の延長部を上段の支持孔に挿通させた傾斜状態の本発明の実施例１に係る陳列棚を示す側面図である。
【図８】側部材の延長部を上段の支持孔に挿通させた状態の本発明の実施例１に係るショーケースの断面図である。
【図９】側部材の延長部を上段の支持孔に挿通させた状態の本発明の実施例１に係るショーケースの内部の概略構成図である。
【図１０】本発明の実施例２に係るショーケースの支持部材の側面図である。
【図１１】突起を支持部材に支持させるとともに側部材の延長部を下段の支持孔に挿通させた水平状態の本発明の実施例２に係る陳列棚を示す側面図である。
【図１２】突起を支持部材に支持させるとともに側部材の延長部を上段の支持孔に挿通させた傾斜状態の本発明の実施例２に係る陳列棚を示す側面図である。
【図１３】本発明の実施例３に係るショーケースの支持部材の側面図である。
【図１４】突起を支持部材に支持させるとともに側部材の延長部を下段の支持孔に挿通させた水平状態の本発明の実施例３に係る陳列棚を示す側面図である。
【図１５】突起を支持部材に支持させるとともに側部材の延長部を上段の支持孔に挿通させた傾斜状態の本発明の実施例３に係る陳列棚を示す側面図である。
【図１６】変形例としての凹溝の無い側部材の側面図である。
【図１７】変形例としての二つの凹溝を有する側部材の側面図である。
【符号の説明】
【００６１】
２  ショーケース本体
１０  引き戸（開閉部材）
１２  隔壁
１４  貯蔵室
２０  定温装置
３０  陳列棚
３２  棚本体
３４  側部材
３５  延長部
３６  突起
３７、３８  凹溝
４０、４０’、４０”  支持部材（前端支持部材）
４２、４２’、４２”  受け部
４２ａ  前方受け部
４２ｂ  後方受け部
４２ａ’前方切り欠き
４２ｂ’後方切り欠き
４３  段差部
４３’  前縁
４４、４４’、４４”  前縁
４５、４５’、４５”  前縁
５０、５２  支持孔（後端支持孔）
【図１】
2009160004.tif 000003
【図２】
2009160004.tif 000004
【図３】
2009160004.tif 000005
【図４】
2009160004.tif 000006
【図５】
2009160004.tif 000007
【図６】
2009160004.tif 000008
【図７】
2009160004.tif 000009
【図８】
2009160004.tif 000010
【図９】
2009160004.tif 000011
【図１０】
2009160004.tif 000012
【図１１】
2009160004.tif 000013
【図１２】
2009160004.tif 000014
【図１３】
2009160004.tif 000015
【図１４】
2009160004.tif 000016
【図１５】
2009160004.tif 000017
【図１６】
2009160004.tif 000018
【図１７】
2009160004.tif 000019